【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
キーデバイス（１）において、
良好なアクセス制御でロック装置（２０）を機械的に操作するための機械的インターフェース（１３）であって、前記ロック装置（２０）が前記キーデバイス（１）を用いて電子アクセス制御を行えるよう前記ロック装置（２０）に給電するためおよび前記ロック装置（２０）と通信するためのコネクタ（１２）を有する機械的インターフェース（１３）と、
クロック（４）と、
メモリ（１７）と、
無線通信モジュール（６）と、
前記無線通信モジュール（６）を用いて、アクセス制御装置（３０）とオンライン通信し、前記アクセス制御装置と一つまたは複数のロック装置（２０）との間のオフライン通信のために前記メモリ（１７）を一時的なストレージとして使用するよう構成されるコントローラ（２）と、を備え、
前記コントローラは、前記アクセス制御装置（３０）にチャレンジコードを送ることと、前記キーデバイス（１）の前記クロック（４）用に更新された期間と一緒に、前記チャレンジコードに基づくレスポンスコードを受け取ることと、前記レスポンスコードが有効と判定された場合に前記更新された期間を有効と判定することと、を為すことによって、前記更新された期間を受け取るよう構成されている、キーデバイス（１）。
【請求項２】
前記コントローラは、前記アクセス制御装置から一つまたは複数のロック装置（２０）へ向けたアクセス権のリストの一時的なストレージとして前記メモリを使用するよう構成される、請求項１に記載のキーデバイス（１）。
【請求項３】
前記アクセス権のリストは、アクセスを得ることを禁止されるべきキーデバイスを示す無効化リストを備える、請求項２に記載のキーデバイス（１）。
【請求項４】
前記コントローラは、一つまたは複数のロック装置（２０）から前記アクセス制御装置（３０）へ向けた監査証跡の一時的なストレージとして前記メモリを使用するよう構成される、請求項１から３のいずれか一項に記載のキーデバイス（１）。
【請求項５】
前記コントローラは、前記レスポンスコードが前記チャレンジコードおよび前記更新された期間に基づいた正しい暗号処理結果を備える場合に、前記レスポンスコードを有効と判定するよう構成される、請求項１から４のいずれか一項に記載のキーデバイス（１）。
【請求項６】
前記コントローラは、前記レスポンスコードが前記チャレンジコードに基づいた正しい暗号処理結果を備える場合、および前記レスポンスコードが、前記チャレンジコードが送られた時から閾値時間内に受け取られる場合に、前記レスポンスコードを有効と判定するよう構成される、請求項１から５のいずれか一項に記載のキーデバイス（１）。
【請求項７】
前記コントローラは、前記アクセス制御装置（３０）との以下の通信、すなわち、特に前記キーデバイス（１）用に更新されたアクセス権を受け取ることと、前記キーデバイス（１）用に更新された有効期間を受け取ることと、前記キーデバイス（１）用の監査証跡を送ること、のうち、任意の一つまたは複数を行うように構成される、請求項１から６のいずれか一項に記載のキーデバイス（１）。
【請求項８】
前記コントローラは、前記キーデバイス（１）の前記コネクタ（１２）がロック装置（２０）のコネクタ（２３）に接続されると、前記ロック装置（２０）によってアクセスを与えられるべき前記キーデバイス（１）への認証を取得するために、前記アクセス制御装置（３０）と通信するよう構成される、請求項１から７のいずれか一項に記載のキーデバイス（１）。
【請求項９】
前記コントローラ（２）は、前記キーデバイス（１）でトリガー条件が真と判定された場合にのみ前記アクセス制御装置との通信を行うよう構成される、請求項１から８のいずれか一項に記載のキーデバイス（１）。
【請求項１０】
前記キーデバイス（１）は、ユーザインプット装置（７）をさらに備え、前記トリガー条件は、前記ユーザインプット装置が作動する場合に真である、請求項９のいずれか一項に記載のキーデバイス（１）。
【請求項１１】
コードインプット装置（８）をさらに備える、請求項１から１０のいずれか一項に記載のキーデバイス（１）。
【請求項１２】
前記無線通信モジュール（６）が前記アクセス制御装置（３０）からオフラインの場合、前記コントローラ（２）は、前記キーデバイス（１）がアクセスをリクエストするための信号を送るための、前記コードインプット装置（８）を用いて入力されるべき正しいコードを要求するよう構成される、請求項１１に記載のキーデバイス（１）。
【請求項１３】
前記コントローラは、正しいコードが前記コードインプット装置（８）を用いて入力された場合、前記キーデバイス（１）の有効期間を延長するよう配置される、請求項１２に記載のキーデバイス（１）。
【請求項１４】
前記無線通信モジュール（６）は、中間のアクセス制御通信装置（７０）を介して前記アクセス制御装置と通信するための近距離通信モジュールである、請求項１から１３のいずれか一項に記載のキーデバイス（１）。
【請求項１５】
前記無線通信モジュール（６）は、セルラーネットワークを介して通信するためのセルラーネットワーク通信モジュールである、請求項１から１３のいずれか一項に記載のキーデバイス（１）。
【請求項１６】
良好なアクセス制御でロック装置（２０）を機械的に操作するための機械的インターフェース（１３）であって、前記ロック装置（２０）に給電するためおよび前記ロック装置（２０）と通信するためのコネクタ（１２）を有する機械的インターフェース（１３）と、クロック（４）と、を有するキーデバイス（１）において行われる方法であって、
前記キーデバイス（１）の無線通信モジュール（６）を用いてアクセス制御装置（３０）とオンライン通信する（５１）工程であって、前記アクセス制御装置（３０）にチャレンジコードを送る（５１ａ）ことと、前記キーデバイス（１）の前記クロック（４）用に更新された期間と一緒に、前記チャレンジコードに基づいているレスポンスコードを受け取る（５１ｂ）ことと、前記レスポンスコードが有効と判定された場合に前記更新された期間を有効と判定する（５１ｃ）こととによって、前記更新された期間を受け取ることを備える、工程と、
前記アクセス制御装置と一つまたは複数のロック装置（２０）との間のオフライン通信のために、前記キーデバイス（１）のメモリ（１７）を一時的なストレージとして使用する（５３）工程と、を備える方法。
【請求項１７】
前記メモリを一時的なストレージとして使用する（５３）工程は、前記メモリを、前記アクセス制御装置から一つまたは複数のロック装置（２０）へ向けたアクセス権の更新リストの一時的なストレージとして使用することを備える、請求項１６に記載の方法。
【請求項１８】
前記アクセス権のリストは、アクセスを得ることを禁止されるべきキーデバイスを示す無効化リストを備える、請求項１７に記載の方法。
【請求項１９】
前記メモリを一時的なストレージとして使用する（５３）工程は、前記メモリを、一つまたは複数のロック装置（２０）から前記アクセス制御装置（３０）へ向けた監査証跡の一時的なストレージとして使用することを備える、請求項１６から１８のいずれか一項に記載の方法。
【請求項２０】
前記更新された期間を有効と判定する（５１ｃ）工程は、前記レスポンスコードが前記チャレンジコードおよび前記更新された期間に基づいた正しい暗号処理結果を有する場合に、前記レスポンスコードを有効と判定することを備える、請求項１６から１９のいずれか一項に記載のキーデバイス（１）。
【請求項２１】
前記更新された期間を有効と判定する（５１ｃ）工程は、前記レスポンスコードが前記チャレンジコードに基づいた正しい暗号処理結果を有する場合、および前記レスポンスコードが、前記チャレンジコードが送られた時から閾値時間内に受け取られる場合に、前記レスポンスコードを有効と判定することを備える、請求項１６から２０のいずれか一項に記載の方法。
【請求項２２】
前記アクセス制御装置と通信する（５１）工程は、下記のサブ工程、すなわち、特に前記キーデバイス（１）用に更新されたアクセス権を受け取ることと、前記キーデバイス（１）用に更新された有効期間を受け取ることと、前記キーデバイス（１）用の監査証跡を送ること、のうち、任意の一つまたは複数を備える、請求項１６から２１のいずれか一項に記載の方法。
【請求項２３】
トリガー条件が真であるかを判定する（５０）工程をさらに備え、前記アクセス制御装置と通信する（５１）工程は、前記トリガー条件が真と判定された場合にのみ発生する、請求項１６から２２のいずれか一項に記載の方法。
【請求項２４】
前記無線通信モジュール（６）が前記アクセス制御装置（３０）からオフラインである場合に、コードインプット装置（８）を用いて、ユーザにより入力されたコードを受け取る（５４）工程と、
前記コードが正しいと判定された場合にのみ、アクセスをリクエストするために前記ロック装置（２０）と通信する（５６）工程と、をさらに備える、請求項１６から２３のいずれか一項に記載の方法。
【請求項２５】
前記コードが正しいと判定された場合に、前記キーデバイス（１）の有効期間を延長する（５８）工程をさらに備える、請求項２４に記載の方法。
【請求項２６】
コンピュータプログラム（６６）において、
良好なアクセス制御でロック装置（２０）を機械的に操作するための機械的インターフェース（１３）であって、前記ロック装置（２０）に給電するためおよび前記ロック装置（２０）と通信するためのコネクタ（１２）を有する機械的インターフェース（１３）と、クロック（４）と、を有するキーデバイス（１）において実行されると、前記キーデバイス（１）に、
前記キーデバイス（１）の無線通信モジュール（６）を用いてアクセス制御装置（３０）とオンライン通信することであって、前記コンピュータプログラムは、前記アクセス制御装置（３０）にチャレンジコードを送る（５１ａ）ことと、前記キーデバイス（１）の前記クロック（４）用に更新された期間と一緒に、前記チャレンジコードに基づいているレスポンスコードを受け取る（５１ｂ）ことと、前記レスポンスコードが有効と判定された場合に前記更新された期間を有効と判定する（５１ｃ）こととによって、前記キーデバイス（１）に、前記更新された期間を受け取らせることと、
前記アクセス制御装置と一つまたは複数のロック装置（２０）との間のオフライン通信のために、前記キーデバイス（１）のメモリ（１７）を一時的なストレージとして使用することと、をさせる、コンピュータプログラムコードを備えるコンピュータプログラム（６６）。
【請求項２７】
請求項２６に記載のコンピュータプログラムと、前記コンピュータプログラムが格納されるコンピュータ読み出し可能手段と、を備えるコンピュータプログラム製品（１７）。